(57)【要約】      （修正有）【課題】いずれのテープロールからも粘着テープを容易に繰り出すだけでなく、切断刃に手が触れにくく安全性にも優れたテープディスペンサーを提供する。【解決手段】テープディスペンサーを、起立板１０と、基台２０と、左側テープロール支持手段３０Ｌと、左側テープ切断手段４０Ｌと、右側テープロール支持手段３０Ｒと、右側テープ切断手段４０Ｒとを備えたものとし、左側テープ切断手段４０Ｌと右側テープ切断手段４０Ｒとを起立板１０を挟んで前後方向にずれた位置に配した。起立板１０の上縁における左側テープ切断手段４０Ｌと右側テープ切断手段４０Ｒとの間の区間は下方に切り込んだ形状として、起立板１０に凹部１１を形成し、他のテープロールＴＲから繰り出された粘着テープを右手で摘んで切断する際には、右手人差し指を凹部１１に挿入できるようにした。【選択図】図１
2011057406.tif 000002
【特許請求の範囲】
【請求項１】
左右方向に並列に配された一のテープロールと他のテープロールとからそれぞれ独立して粘着テープを繰り出して切断することができるようにしたテープディスペンサーであって、
その左側面及び右側面がテープディスペンサーの設置面に対して垂直となるように配される起立板と、
起立板の下部に設けられて起立板を安定させる基台と、
前記一のテープロールを起立板の左側後部に支持し、該一のテープロールを起立板の左側面に対して平行な面内で回転可能に支持する左側テープロール支持手段と、
前記一のテープロールから前方へ繰り出された粘着テープを起立板の左側前部で切断するための左側テープ切断手段と、
前記他のテープロールを起立板の右側後部に支持し、該他のテープロールを起立板の右側面に対して平行な面内で回転可能に支持する右側テープロール支持手段と、
前記他のテープロールから前方へ繰り出された粘着テープを起立板の右側前部で切断するための右側テープ切断手段と、
を備え、
左側テープ切断手段と右側テープ切断手段とが起立板を挟んで前後方向にずれた位置に配され、
起立板の上縁における左側テープ切断手段と右側テープ切断手段との間の区間を下方に切り込んだ形状とすることにより起立板に凹部を形成し、
前記一のテープロール又は前記他のテープロールから
繰り出された粘着テープを摘んで切断する際に、右手人差し指又は左手人差し指を前記凹部に挿入できるようにしたことを特徴とするテープディスペンサー。
【請求項２】
左側テープロール支持手段が、
起立板の左側面に対して垂直に設けられた左側第一回転軸と、
左側第一回転軸よりも後方で起立板の左側面に対して垂直に取り付けられた左側第二回転軸と、
左側第一回転軸に軸支されてその外周面で前記一のテープロールの前面を支持する左側第一ローラと、
左側第二回転軸に軸支されてその外周面で前記一のテープロールの下面を支持する左側第二ローラと、
で構成され、
右側テープロール支持手段が、
起立板の右側面に対して垂直に設けられた右側第一回転軸と、
右側第一回転軸よりも後方で起立板の右側面に対して垂直に取り付けられた右側第二回転軸と、
右側第一回転軸に軸支されてその外周面で前記他のテープロールの前面を支持する右側第一ローラと、
右側第二回転軸に軸支されてその外周面で前記他のテープロールの下面を支持する右側第二ローラと、
で構成された請求項１記載のテープディスペンサー。
【請求項３】
基台が、
起立板の左側面における下縁に沿った箇所に取り付けられた左側基台と、
起立板の右側面における下縁に沿った箇所に取り付けられた右側基台と、
で構成された請求項１又は２記載のテープディスペンサー。
【発明の詳細な説明】
【技術分野】
【０００１】
本発明は、テープロールを支持し、該テープロールから繰り出された粘着テープを切断して供給するテープディスペンサーに関する。
【背景技術】
【０００２】
テープロールを支持し、該テープロールから繰り出された粘着テープを切断して供給するテープディスペンサーは、様々な場所で用いられている。従来のテープディスペンサーは、１本のテープロールしか支持できなかったが、スーパーマーケットやホームセンターなどででは、複数本のテープロールを支持できるテープディスペンサーが欲しいとの要望があった。スーパーマーケットなどにおいて、レジ係は、買物袋に封をするためや、購入済みの商品に印を付するためなど、複数種類の粘着テープを使用していたからである。これまでには、１台で複数本のテープロールを支持できるようにしたテープディスペンサーが数多く提案されている。
【０００３】
例えば、共通の回転軸に複数のテープロールを支持できるようにしたテープディスペンサーが提案されている（例えば、特許文献１）。しかし、この種のテープディスペンサーは、それぞれのテープロールから繰り出された粘着テープが共通の切断刃にて切断されるものであったため、例えば、右利きの人が、向かって左側のテープロールから粘着テープを繰り出して切断しようとした場合に、向かって右側のテープロールから繰り出されて切断刃に貼り留められている粘着テープが邪魔になり、左側の粘着テープを右手で掴みにくいという欠点があった。また、この種のテープディスペンサーは、複数のテープロールが共通の回転軸で支持される構造であったため、いずれか一方のテープロールを交換しようとした場合には、交換する必要のない他のテープロールまで、テープディスペンサー本体から取り外す必要があり、非常に煩わしかった。
【０００４】
このような実状に鑑みて、複数の切断刃を高さ方向に段差を設けて配し、異なるテープロールから繰り出された粘着テープを異なる切断刃で切断するようにしたテープディスペンサーも提案されている（例えば、特許文献２〜５）。この種のテープディスペンサーにおいては、向かって左側の切断刃を、向かって右側の切断刃よりも高くなるようにしておけば、いずれのテープロールから繰り出された粘着テープであっても右手で容易に摘むことが可能となる。しかし、この種のテープディスペンサーは、高い位置にある切断刃に貼り留められている粘着テープを摘んで切断しようとした場合に、その隣の低い位置にある切断刃に手が触れてケガをするおそれがあり、安全性に難があった。加えて、右利き用と左利き用とで左右反対の構造を有する２つのタイプを用意しなければならず、製造コストなどの面でも問題があった。
【先行技術文献】
【特許文献】
【０００５】
【特許文献１】実開昭４９−０３０３９０号公報
【特許文献２】実公昭４１−０１４１４６号公報
【特許文献３】実開昭５５−１６４２５３号公報
【特許文献４】実開平０１−０６８３５９号公報
【特許文献５】実登第３００１５４７号公報
【発明の概要】
【発明が解決しようとする課題】
【０００６】
本発明は、上記課題を解決するためになされたものであり、複数のテープロールをコンパクトに収容して、いずれのテープロールからも粘着テープを容易に繰り出すだけでなく、切断刃に手が触れにくく安全性にも優れたテープディスペンサーを提供するものである。また、テープロールの交換が容易なテープディスペンサーを提供することも本発明の目的である。さらに、１台で右利き用と左利き用を切り替えることもできるテープディスペンサーを提供することも本発明の目的である。さらにまた、構造が簡素で壊れにくく、製造コストを抑えることも可能なテープディスペンサーを提供することも本発明の目的である。加えて、テープロールから繰り出される粘着テープに皺が形成されにくく、設置安定性に優れたテープディスペンサーを提供することも本発明の目的である。
【課題を解決するための手段】
【０００７】
上記課題は、
左右方向に並列に配された一のテープロールと他のテープロールとからそれぞれ独立して粘着テープを繰り出して切断することができるようにしたテープディスペンサーであって、
その左側面及び右側面がテープディスペンサーの設置面に対して垂直となるように配される起立板と、
起立板の下部に設けられて起立板を安定させる基台と、
前記一のテープロールを起立板の左側後部に支持し、該一のテープロールを起立板の左側面に対して平行な面内で回転可能に支持する左側テープロール支持手段と、
前記一のテープロールから前方へ繰り出された粘着テープを起立板の左側前部で切断するための左側テープ切断手段と、
前記他のテープロールを起立板の右側後部に支持し、該他のテープロールを起立板の右側面に対して平行な面内で回転可能に支持する右側テープロール支持手段と、
前記他のテープロールから前方へ繰り出された粘着テープを起立板の右側前部で切断するための右側テープ切断手段と、
を備え、
左側テープ切断手段と右側テープ切断手段とが起立板を挟んで前後方向にずれた位置に配され、
起立板の上縁における左側テープ切断手段と右側テープ切断手段との間の区間を下方に切り込んだ形状とすることにより起立板に凹部を形成し、
前記一のテープロール又は前記他のテープロールから
繰り出された粘着テープを摘んで切断する際に、右手人差し指又は左手人差し指を前記凹部に挿入できるようにしたことを特徴とするテープディスペンサー
を提供することによって解決される。
【０００８】
ここで、「左」、「右」、「前」、「後」などの向きを表す語は、本発明のテープディスペンサーにおける各部の相対的な位置関係を表すために便宜上用いたものであり、本発明のテープディスペンサーの設置方向を限定するものではない。すなわち、本発明のテープディスペンサーは、通常、その前部（左側テープ切断手段及び右側切断手段が設けられた側）が使用者から見て手前側を向くように設置（以下において、この設置方向に設置することを「順方向に設置」と呼ぶことがある。）されるが、その他、テープディスペンサーの設置場所や設置目的などに応じて、その前部が、使用者から見て右側や左側、あるいは奥側を向くように設置してもよい。
【０００９】
左側テープ切断手段と右側テープ切断手段のどちらを後方に配するかは、テープディスペンサーの設置方向や、テープディスペンサーを右利き用のものとするか左利き用のものとするかなどによっても異なり、特に限定されない。本発明のテープディスペンサーにおいては、左側テープ切断手段と右側テープ切断手段とをネジなどで起立板に固定することなどにより、起立板から着脱自在な構造としておくと、１台で右利き用と左利き用とを容易に切り替えることも可能である。
【００１０】
例えば、テープディスペンサーを順方向に設置し、右利き用のものとする場合には、使用者から見て右側（テープディスペンサーから見て左側）からテープを操作するようになるため、使用者から見て右側となる左側テープ切断手段を後方に配すると好ましい。これにより、左側テープロール支持手段に支持された前記一のテープロールから粘着テープを繰り出す操作は勿論のこと、右側テープロール支持手段に支持された前記他のテープロールから粘着テープを繰り出す操作も容易に行うことが可能になる。粘着テープを右手で手前側に繰り出す際には、通常、右手人差し指が粘着テープの下側となり、右手親指が粘着テープの上側となるように、粘着テープを右手で摘んで操作するようになるが、この場合、右手人差し指を前記凹部へ挿入することができるので、粘着テープの下側に右手人差し指を容易に挿し込むことが可能である。また、左側テープ切断手段が起立板を挟んで右側テープ切断手段よりも後方に控えた位置にあるので、前記他のテープロールから繰り出された粘着テープを右手で摘んで切断する際には、左側テープ切断手段に右手が触れるおそれもなく、安全である。テープディスペンサーを左利き用とする場合には、右利き用の場合と左右が逆になる。
【００１１】
本発明のテープディスペンサーにおいて、左側テープロール支持手段及び右側テープロール支持手段は、テープロールを回転可能に支持できるものであれば特に限定されない。例えば、左側テープロール支持手段及び右側テープロール支持手段を、テープロールをその内側から支持するリールタイプのものとしてもよい。しかし、左側テープロール支持手段や右側テープロール支持手段をリールタイプとした場合には、粘着テープを繰り出す際に粘着テープに加える力の大きさや向きによっては、粘着テープが弛んでしまい、粘着テープに皺が形成されてしまう。
【００１２】
このため、
左側テープロール支持手段を、
起立板の左側面に対して垂直に設けられた左側第一回転軸と、
左側第一回転軸よりも後方で起立板の左側面に対して垂直に取り付けられた左側第二回転軸と、
左側第一回転軸に軸支されてその外周面で前記一のテープロールの前面を支持する左側第一ローラと、
左側第二回転軸に軸支されてその外周面で前記一のテープロールの下面を支持する左側第二ローラと、
で構成し、
右側テープロール支持手段を、
起立板の右側面に対して垂直に設けられた右側第一回転軸と、
右側第一回転軸よりも後方で起立板の右側面に対して垂直に取り付けられた右側第二回転軸と、
右側第一回転軸に軸支されてその外周面で前記他のテープロールの前面を支持する右側第一ローラと、
右側第二回転軸に軸支されてその外周面で前記他のテープロールの下面を支持する右側第二ローラと、
で構成すると好ましい。
【００１３】
この構成を採用する場合には、前記一のテープロールからは、粘着テープを、その非粘着面が左側第一ローラの外周面と接触するように左側第一ローラの下側から前方かつ斜め上向きに引き出し、前記一のテープロールにおける粘着テープの繰り出し位置が、該粘着テープの切断位置よりも低くなるようにする。一方、前記他のテープロールからは、粘着テープを、その非粘着面が右側第一ローラの外周面と接触するように右側第一ローラの下側から前方かつ斜め上向きに引き出し、前記他のテープロールにおける粘着テープの繰り出し位置が、該粘着テープの切断位置よりも低くなるようにする。これにより、粘着テープを繰り出す際に粘着テープに加える力の大きさや向きにかかわらず、テープロールにおける粘着テープの繰り出し位置を安定させることが可能になる。したがって、テープロールから繰り出される粘着テープが弛まないようにして、粘着テープに皺が形成されないようにすることも可能になる。また、この構成は、リールタイプの場合と比較して、テープロールのセッティングを容易に行うことができる。
【００１４】
また、本発明のテープディスペンサーにおいて、貴台は、起立版を安定して立った状態に保つことができるものであれば特に限定されない。しかし、本発明のテープディスペンサーでは、基台を、起立板の左側面における下縁に沿った箇所に取り付けられた左側基台と、起立板の右側面における下縁に沿った箇所に取り付けられた右側基台とで構成すると好ましい。これにより、起立板の左右両側に支持されたテープディスペンサーを安定して立たせることが可能になる。
【発明の効果】
【００１５】
以上のように、本発明によって、複数のテープロールをコンパクトに収容して、いずれのテープロールからも粘着テープを容易に繰り出すだけでなく、切断刃に手が触れにくく安全性にも優れたテープディスペンサーを提供することが可能になる。また、テープロールの交換が容易なテープディスペンサーを提供することも可能になる。さらに、１台で右利き用と左利き用を切り替えることもできるテープディスペンサーを提供することも可能になる。さらにまた、構造が簡素で壊れにくく、製造コストを抑えることも可能なテープディスペンサーを提供することも可能になる。加えて、テープロールから繰り出される粘着テープに皺が形成されにくく、設置安定性に優れたテープディスペンサーを提供することも可能になる。
【図面の簡単な説明】
【００１６】
【図１】本発明のテープディスペンサーにテープロールを支持させた状態を示した斜視図である。
【図２】本発明のテープディスペンサーにおける起立板に基台を取り付ける状態を示した斜視図である。
【図３】本発明のテープディスペンサーにおける起立板に基台以外の部品を取り付ける状態を示した斜視図である。
【図４】本発明のテープディスペンサーを示した斜視図である。
【図５】本発明のテープディスペンサーを上方（ｚ軸方向正側）から見た状態を示した図である。
【図６】本発明のテープディスペンサーを下方（ｚ軸方向負側）から見た状態を示した図である。
【図７】本発明のテープディスペンサーを前方（ｙ軸方向負側）から見た状態を示した図である。
【図８】本発明のテープディスペンサーを後方（ｙ軸方向正側）から見た状態を示した図である。
【図９】本発明のテープディスペンサーを左方（ｘ軸方向正側）から見た状態を示した図である。
【図１０】本発明のテープディスペンサーを右方（ｘ軸方向負側）から見た状態を示した図である。
【発明を実施するための形態】
【００１７】
１．テープディスペンサーの概要
本発明のテープディスペンサーの好適な実施態様について、図面を用いてより具体的に説明する。図１は、本発明のテープディスペンサーにテープロールＴＬ，ＴＲを支持させた状態を示した斜視図である。図２は、本発明のテープディスペンサーにおける起立板１０に基台２０を取り付ける状態を示した斜視図である。図３は、本発明のテープディスペンサーにおける起立板１０に基台２０以外の部品を取り付ける状態を示した斜視図である。図４は、本発明のテープディスペンサーを示した斜視図である。図５は、本発明のテープディスペンサーを上方（ｚ軸方向正側）から見た状態を示した図である。図６は、本発明のテープディスペンサーを下方（ｚ軸方向負側）から見た状態を示した図である。図７は、本発明のテープディスペンサーを前方（ｙ軸方向負側）から見た状態を示した図である。図８は、本発明のテープディスペンサーを後方（ｙ軸方向正側）から見た状態を示した図である。図９は、本発明のテープディスペンサーを左方（ｘ軸方向正側）から見た状態を示した図である。図１０は、本発明のテープディスペンサーを右方（ｘ軸方向負側）から見た状態を示した図である。
【００１８】
本発明のテープディスペンサーは、図１に示すように、左右方向（ｘ軸方向）に並列に配された一のテープロールＴＬと他のテープロールＴＲとからそれぞれ独立して粘着テープを繰り出して切断することができるものとなっている。このテープディスペンサーは、その左側面及び右側面がテープディスペンサーの設置面に対して垂直となるように配された起立板１０と、起立板１０の下部に設けられて起立板１０を安定させる基台２０と、一のテープロールＴＬを起立板１０の左側後部に支持し、一のテープロールＴＬを起立板１０の左側面に対して平行な面内で回転可能に支持する左側テープロール支持手段３０Ｌと、一のテープロールＴＬから前方（ｙ軸方向負側）へ繰り出された粘着テープを起立板１０の左側前部で切断するための左側テープ切断手段４０Ｌと、他のテープロールＴＲを起立板１０の右側後部に支持し、他のテープロールＴＲを起立板１０の右側面に対して平行な面内で回転可能に支持する右側テープロール支持手段３０Ｒと、他のテープロールＴＲから前方（ｙ軸方向負側）へ繰り出された粘着テープを起立板１０の右側前部で切断するための右側テープ切断手段４０Ｒとを備えたものとなっている。
【００１９】
左側テープ切断手段４０Ｌと右側テープ切断手段４０Ｒは、図５に示すように、起立板１０を挟んで前後方向（ｙ軸方向）にずれた位置に配されている。本実施態様のテープディスペンサーは、順方向に設置することを想定した右利き用のものとなっているため、左側テープ切断手段４０Ｌは、右側テープ切断手段４０Ｒよりも後方に配されている。この右利き用のテープディスペンサーにおいて、右側テープ切断手段４０Ｒに貼り留められている粘着テープの先端部を摘んで手前側（ｙ軸方向負側）に繰り出す際には、右手人差し指が粘着テープの下側となり右手親指が粘着テープの上側となるように、粘着テープの先端部を右手人差し指と右手親指で摘むようになっている。このとき、起立板１０における右側テープ切断手段４０Ｒのすぐ後ろの部分が塞がっていると、起立板１０が邪魔になり、粘着テープの下側へ右手人差し指を差し込みにくくなる。しかし、本発明のテープディスペンサーでは、図１に示すように、起立板１０の上縁における左側テープ切断手段４０Ｌと右側テープ切断手段４０Ｒとの間の区間が、下方に切り込んだ形状とされており、起立板１０における当該部分には、凹部１１が形成されている。このため、他のテープロールＴＲから粘着テープを繰り出す際には、右手人差し指を凹部１１に挿入して粘着テープの下側へと差し込むことができるようになっている。したがって、一のテープロールＴＬから粘着テープを繰り出す操作だけでなく、他のテープロールＴＲから粘着テープを繰り出す操作も容易に行うことができるようになっている。
【００２０】
２．起立板
起立板１０には、図２に示すように、それを左右方向（ｘ軸方向）に貫通して複数の貫通孔１２〜１６が設けられている。このうち、貫通孔１２には、起立板１０に基台２０を取り付けるためのネジ１０１，１０２が通される。また、図３に示すように、貫通孔１３には、起立板１０に右側テープ切断手段４０Ｒを取り付けるためのネジ１０３が通される。さらに、貫通孔１４には、起立板１０に左側テープ切断手段４０Ｌを取り付けるためのネジ１０４が通される。さらにまた、貫通孔１５には、起立板１０に左側第一回転軸３１Ｌ及び右側第一回転軸３１Ｒを取り付けるための頭無しネジ１０５が通される。そして、貫通孔１６には、起立板１０に左側第二回転軸３３Ｌ及び右側第一回転軸３３Ｒを取り付けるための頭無しネジ１０６が通される。
【００２１】
起立板１０の形状は、上方が開放された凹部１１を有するものであれば特に限定されない。起立板１０には、持ち運びなどを考慮して開口部を形成するなどしてもよい。また、起立板１０を丸みを帯びた形状とすることにより、テープディスペンサーを安全性により優れたものとすることもできる。本実施態様のテープディスペンサーにおいて、起立板１０は、図９と図１０に示すように、側面視略矩形状の前方部（凹部１１よりもｙ軸方向負側の部分）と、側面視略扇形状の後方部（凹部１１よりもｙ軸方向正側の部分）とを備え、その前方部と後方部との間に凹部１１が形成された形状としている。また、起立板１０の後方部における上縁近傍には、テープディスペンサーを持ち運ぶ際に指を書けるための指掛け孔１７を形成している。
【００２２】
起立板１０に形成する凹部１１の寸法は、右手人差し指や左手人差し指を挿入することができる幅（ｙ軸方向の長さ）を有し、その底部が左側切断刃４１Ｌや右側切断刃４１Ｒの上端よりも指１本分下方となる深さ（ｚ軸方向の長さ）であれば特に限定されない。しかし、凹部１１の寸法が小さくなりすぎると、凹部１１に指を挿入しにくくなるおそれがある。このため、凹部１１の幅は、通常、１５ｍｍ以上とされる。凹部１１の幅は、２０ｍｍ以上であると好ましい。加えて、凹部１１の深さを浅くしすぎると、他のテープロールＴＲから繰り出された粘着テープを右手で摘んで右側テープ切断手段４０Ｒで切断する際に、右手人差し指を凹部１１の底部に打ち付けやすくなるおそれがある。このため、凹部１１の深さは、左側切断刃４１Ｌ又は右側切断刃４１Ｒの上端から凹部１１までの高さＨ（図９を参照）が１５ｍｍ以上確保できる値に設定すると好ましい。凹部１１の深さは、高さＨを２０ｍｍ以上確保できる値に設定すると好ましく、３０ｍｍ以上確保できる値に設定すると好ましい。
【００２３】
一方、凹部１１の寸法を大きくしすぎると、起立板１０が大型化して、テープディスペンサーの小型化が困難になるおそれもある。また、一のテープロールＴＬから左側テープ切断手段４０Ｌまでの距離、又は他のテープロールＴＲから右側テープ切断手段４０Ｒまでの距離を長くしなければならなくなり、テープロールから繰り出された粘着テープに弛みが生じやすくなるおそれもある。このため、凹部１１の幅は、通常、５０ｍｍ以下とされる。凹部１１の幅は、４０ｍｍ以下であると好ましく、３０ｍｍ以下であるとより好ましい。また、凹部１１の深さは、通常、高さＨ（図９を参照）が１００ｍｍを超えない範囲で設定される。凹部１１の深さは、高さＨが７０ｍｍを超えない範囲で設定すると好ましく、高さＨが５０ｍｍを超えない範囲で設定すると好ましい。
【００２４】
起立板１０の全体の寸法は、テープディスペンサーの用途などによっても異なり、特に限定されないが、本実施態様のテープディスペンサーにおいて、起立板１０の前後方向（ｙ軸方向）の長さは約１７ｃｍ、起立板１０の上下方向（ｚ軸方向）の高さは約１０ｃｍとなっている。起立板１０の素材は、各部品を取り付けるのに必要な強度を発揮できるものであれば特に限定されず、各種の金属や硬質樹脂などを採用することができる。本実施態様のテープディスペンサーにおいて、起立板１０は、鉄によって形成している。
【００２５】
３．基台
本実施態様のテープディスペンサーにおいては、図２に示すように、基台２０を、起立板１０の左側面における下縁に沿った箇所に取り付けられる左側基台２０Ｌと、起立板１０の右側面における下縁に沿った箇所に取り付けられる右側基台２０Ｒとで構成している。左側基台２０Ｌと右側基台２０Ｒは、いずれも、前後方向（ｙ軸方向）に沿って延びる長尺な柱状部材となっている。
【００２６】
左側基台２０Ｌ及び右側基台２０Ｒの取付方法は、特に限定されない。本実施態様のテープディスペンサーにおいては、図２に示すように、左側基台２０Ｌにおける前端部と後端部の２箇所に、左側基台２０Ｌを左右方向（ｘ軸方向）に貫通する貫通孔２１Ｌを設けており、右側基台２０Ｒの左側面における前端部及び後端部の２箇所に、所定深さのネジ穴２１Ｒを設けている。また、起立板１０の下縁における前端部と後端部の２箇所には、起立板１０を左右方向（ｘ軸方向）に貫通する貫通孔１２を設けている。このため、２本のネジ１０１，１０２を、ｘ軸方向正側から左側基台２０Ｌにおける貫通孔２１へ挿入してその先端部を貫通孔１２に通し、起立板１０の右側面から突出したネジ１０１，１０２の先端部を右側基台２０Ｒにおけるネジ穴２１Ｒに螺合することにより、左側基台２０Ｌ及び右側基台２０Ｒを起立板１０に固定できるようになっている。したがって、起立板１０は、左側基台２０Ｌと右側基台２０Ｒとによって挟み込まれた状態となる。
【００２７】
左側基台２０Ｌ及び右側基台２０Ｒの素材は、特に限定されないが、ある程度の重量がないと、テープディスペンサーが倒れやすくなることに加えて、テープロールＴＬ，ＴＲから粘着テープを勢いよく繰り出そうとした場合に、テープディスペンサーが動きやすくなるおそれがある。このため、左側基台２０Ｌ及び右側基台２０Ｒは、金属のように、ある程度密度の大きな素材で形成すると好ましい。本実施態様のテープディスペンサーにおいては、左側基台２０Ｌ及び右側基台２０Ｒを鉄によって形成しており、それぞれの重量は約２５０ｇとなっている。左側基台２０Ｌ及び右側基台２０Ｒの底面には、図２に示すように、シリコーンエラストマーからなる滑り止めシート２２Ｌ，２２Ｒを貼り付けており、テープディスペンサーの位置をさらにずれにくくしている。
【００２８】
４．左側テープロール支持手段
左側テープロール支持手段３０Ｌは、図３に示すように、起立板１０の左側面に対して垂直に設けられた左側第一回転軸３１Ｌと、左側第一回転軸３１Ｌに軸支されてその外周面で一のテープロールＴＬの前面を支持する左側第一ローラ３２Ｌと、左側第一回転軸３１Ｌよりも後方で起立板１０の左側面に対して垂直に取り付けられた左側第二回転軸３３Ｌと、左側第二回転軸３３Ｌに軸支されてその外周面で一のテープロールＴＬの下面を支持する左側第二ローラ３４Ｌとで構成されている。左側第一ローラ３２Ｌと左側第二ローラ３４Ｌは、その左右両端部にフランジが形成されたものとなっており、それに支持した一のテープロールＴＬを幅方向に位置決めできるものとなっている。
【００２９】
左側第一ローラ３２Ｌと左側第二ローラ３４Ｌには、図３に示すように、それぞれを長手方向（ｘ軸方向）に貫通する貫通孔が設けられており、それぞれの貫通孔には、左側第一回転軸３１Ｌ及び左側第二回転軸３３Ｌが挿入されるようになっている。このため、左側第一ローラ３２Ｌ及び左側第二ローラ３４Ｌは、それぞれ左側第一回転軸３１Ｌ及び左側第二回転軸３３Ｌに対して回転可能な状態となっており、一のテープロールＴＬから受ける摩擦抵抗を低減することができるようになっている。左側第一回転軸３１Ｌ及び左側第二回転軸３３Ｌは、長手方向（ｘ軸方向）にネジ穴が貫通された筒状体となっている。
【００３０】
左側第一回転軸３１Ｌ及び左側第二回転軸３３Ｌの外端部（ｘ軸方向正側の端部）には、図３に示すように、それぞれネジ１０７，１０８が螺合され、左側第一ローラ３２Ｌ及び左側第二ローラ３４Ｌが、左側第一回転軸３１Ｌ及び左側第二回転軸３３Ｌから脱落しないようになっている。一方、左側第一回転軸３１Ｌ及び左側第二回転軸３３Ｌの内端部（ｘ軸方向負側の端部）には、それぞれ頭無しネジ１０５，１０６が螺合され、左側第一回転軸３１Ｌ及び左側第二回転軸３３Ｌの内端部から覗いた頭無しネジ１０５，１０６の端部を、右側テープロール支持手段における右側第一回転軸３１Ｒ及び右側第二回転軸３３Ｒの内端部（ｘ軸方向正側の端部）に螺合することができるようになっている。このような構成を採用することにより、左側テープロール支持手段３０Ｌ及び右側テープロール支持手段３０Ｒを起立板１０の両側に容易に取り付けることが可能である。また、部品点数を削減することもできるので、テープディスペンサーの製造コストを抑えることも可能である。
【００３１】
５．右側テープロール支持手段
右側テープロール支持手段３０Ｒは、図３に示すように、起立板１０に対する取り付け位置が左側テープロール支持手段３０Ｌと左右逆であるだけであるために、詳しい説明は割愛する。本実施態様のテープディスペンサーにおいては、左側第一回転軸３１Ｌと左側第二回転軸３３Ｌと右側第一回転軸３１Ｒと右側第二回転軸３３Ｒとの４つの部品、及び、左側第一ローラ３２Ｌと左側第二ローラ３４Ｌと右側第一ローラ３２Ｒと右側第二ローラ３４Ｒとの４つの部品を、それぞれ同じ形態のものとしている。このように部品を共通化することで、テープディスペンサーの製造コストを削減することが可能となっている。
【００３２】
６．左側テープ切断手段
左側テープ切断手段４０Ｌは、図３に示すように、粘着テープを切断するための左側切断刃４１Ｌと、左側切断刃４１Ｌを前後方向（ｙ軸方向）に挟持するための左側切断刃挟持ブロック４２Ｌ及び左側切断刃挟持プレート４３Ｌと、指などが不意に左側切断刃４１Ｌに接触するのを防ぐための左側カバープレート４４Ｌとで構成されている。左側切断刃挟持ブロック４２Ｌにおける前面、左側面及び右側面には、ネジ穴が設けられている。
【００３３】
左側切断刃挟持ブロック４２Ｌの前面のネジ穴には、図３に示すように、ネジ１０９が前方（ｙ軸方向負側）から螺合される。このネジ１０９によって、左側切断刃挟持ブロック４２Ｌと左側切断刃挟持プレート４３Ｌとの間に左側切断刃４１Ｌが挟持される。また、左切断刃挟持ブロック４２Ｌの左側面のネジ穴には、ネジ１１０が外方（ｘ軸方向正側）から螺合される。このネジ１１０によって、左側切断刃挟持ブロック４２Ｌの左側面に左側カバープレート４４Ｌが固定される。さらに、左側切断刃挟持ブロック４２Ｌの右側面のネジ穴には、起立板１０に設けられた貫通孔１４を通されたネジ１０４が内方（ｘ軸方向負側）から螺合される。このネジ１０４によって、左側テープ切断手段４０Ｌが起立板４０Ｌの左側面に固定される。左側テープ切断手段４０Ｌは、ネジ１０４を外すことにより、起立板１０から取り外すことができる。このように、左側テープ切断手段４０Ｌを起立板１０から着脱自在な構造とすることにより、右側テープ切断手段４０Ｒとの前後の位置関係を逆にすることが可能となり、１台のテープディスペンサーで右利き用と左利き用とを切り替えることができるようになっている。
【００３４】
７．右側テープ切断手段
右側テープ切断手段４０Ｒは、図３に示すように、右側カバープレート４４Ｒと左側カバープレート４４Ｌとを配する側が左右逆となるだけで、左側切断刃４１Ｌと右側切断刃４１Ｒ、左側切断刃挟持ブロック４２Ｌと右側切断刃挟持ブロック４２Ｒ、左側切断刃挟持プレート４３Ｌと右側切断刃挟持プレート４３Ｒ、左側カバープレート４４Ｌと右側カバープレート４４Ｒは、それぞれ同じ形態のものを用いている。これにより、各部品を共通化して、テープディスペンサーの製造コストを低減することが可能となっている。また、上述したように、右側テープ切断手段４０Ｒは、左側テープ切断手段４０Ｌとの前後の位置関係を逆にすることが可能となっている。すなわち、右側テープ切断手段４０Ｒを起立板１０における貫通孔１４に固定するとともに、左側テープ切断手段４０Ｌを起立板における貫通孔１３に固定すると、右側テープ切断手段４０Ｒを左側テープ切断手段４０Ｌよりも後方に配し、テープディスペンサーを左利き用のものとすることができる。
【００３５】
８．用途
本発明のテープディスペンサーは、その用途を限定されるものではなく、幅広い用途に用いることができる。なかでも、スーパーマーケットなどのレジスター周辺に設置するものとして好適である。スーパーマーケットなどでは、買い物袋に封をするための粘着テープや、買い物済みであることを証明するために商品に貼り付けるための粘着テープなど、複数種の粘着テープが用いられている実体があるからである。その他、梱包用の粘着テープを繰り出すためのテープディスペンサーとしても好適に用いることができる。箱の種類や内容物に応じて、それに使用する粘着テープの種類を切り替えることが行われており、複数種の粘着テープを支持できる本発明のテープディスペンサーに対する需要は高いと考えられる。
【符号の説明】
【００３６】
１０    起立板
１１    凹部
１２〜１６  貫通孔
１７    指掛け孔
２０    基台
２０Ｌ  左側基台
２１Ｌ  貫通孔
２２Ｌ  滑り止めシート
２０Ｒ  右側基台
２１Ｒ  ネジ穴
２２Ｒ  滑り止めシート
３０Ｌ  左側テープロール支持手段
３１Ｌ  左側第一回転軸
３２Ｌ  左側第一ローラ
３３Ｌ  左側第二回転軸
３４Ｌ  左側第二ローラ
３０Ｒ  右側テープロール支持手段
３１Ｒ  右側第一回転軸
３２Ｒ  右側第一ローラ
３３Ｒ  右側第二回転軸
３４Ｒ  右側第二ローラ
４０Ｌ  左側テープ切断手段
４１Ｌ  左側切断刃
４２Ｌ  左側切断刃挟持ブロック
４３Ｌ  左側切断刃挟持プレート
４４Ｌ  左側カバープレート
４０Ｒ  右側テープ切断手段
４１Ｒ  右側切断刃
４２Ｒ  右側切断刃挟持ブロック
４３Ｒ  右側切断刃挟持プレート
４４Ｒ  右側カバープレート
１０１〜１０４，１０７〜１１４  ネジ
１０５，１０６    頭無しネジ
ＴＬ  一のテープロール
ＴＲ  他のテープロール
【図１】
2011057406.tif 000003
【図２】
2011057406.tif 000004
【図３】
2011057406.tif 000005
【図４】
2011057406.tif 000006
【図５】
2011057406.tif 000007
【図６】
2011057406.tif 000008
【図７】
2011057406.tif 000009
【図８】
2011057406.tif 000010
【図９】
2011057406.tif 000011
【図１０】
2011057406.tif 000012